(57)【要約】【課題】光ディスクドライブの光ピックアップユニットフィーディング装置を提供する。【解決手段】リードスクリューに形成された螺旋溝と相互結合されることによってリードスクリューの回転に連動されて光ピックアップユニットが直線移動するように動力を伝達する接触部を具備するガイド部材と、接触部を螺旋溝に弾性的に結合させる第１弾性区間と接触部を螺旋溝から離脱させない第２弾性区間とを有する弾性部材を含み、第２弾性区間のバネ定数は第１弾性区間のバネ定数より大きいことを特徴とする光ディスクドライブの光ピックアップユニットフィーディング装置。  第１弾性区間によって小さいバネ力を接触部に提供することによって駆動モーターの消費電力を低減させうる。  第１弾性区間より大きいバネ定数を有する第２弾性区間によって接触部が螺旋溝から離脱されることを効果的に防止できる。【選択図】図３
2004164840.tif 000002
【特許請求の範囲】
【請求項１】
光ピックアップユニットに結合されるものであって、リードスクリューに形成された螺旋溝と相互結合されることによって前記リードスクリューの回転に連動されて光ピックアップユニットが直線移動するように動力を伝達する接触部を具備するガイド部材と、
前記接触部を前記螺旋溝に弾性的に結合させる第１弾性区間と前記接触部を前記螺旋溝から離脱させない第２弾性区間とを有する弾性部材と、を含み、
前記第２弾性区間のバネ定数は前記第１弾性区間のバネ定数より大きいことを特徴とする光ディスクドライブの光ピックアップユニットフィーディング装置。
【請求項２】
前記弾性部材は、
前記第２弾性区間を形成する本体と、
前記本体から突出されて前記ガイド部材に支持されることによって前記第１弾性区間を形成する少なくとも１つの突起と、を含むことを特徴とする請求項１に記載の光ディスクドライブの光ピックアップユニットフィーディング装置。
【請求項３】
前記弾性部材はダンピング性能を有する粘弾性体であることを特徴とする請求項２に記載の光ディスクドライブの光ピックアップユニットフィーディング装置。
【請求項４】
前記弾性部材は、
前記第２弾性区間での変位が前記接触部が前記螺旋溝から離脱される変位に到達した時には弾性力が減少される第３弾性区間をさらに有することを特徴とする請求項１に記載の光ディスクドライブの光ピックアップユニットフィーディング装置。
【請求項５】
前記弾性部材は、
前記第２弾性区間を形成する本体と、
前記本体から突出されて前記ガイド部材に支持されることによって前記第１弾性区間を形成する少なくとも１つの突起と、
前記本体を貫通して形成されることによって前記第３弾性区間を形成する少なくとも１つの中空部と、をさらに含むことを特徴とする請求項４に記載の光ディスクドライブの光ピックアップユニットフィーディング装置。
【請求項６】
前記弾性部材はダンピング性能を有する粘弾性体であることを特徴とする請求項５に記載の光ディスクドライブの光ピックアップユニットフィーディング装置。
【請求項７】
前記弾性部材は前記第１弾性区間に対応する第１弾性部と前記第２弾性区間に対応する第２弾性部とを有するコイルバネであることを特徴とする請求項１に記載の光ディスクドライブの光ピックアップユニットフィーディング装置。
【請求項８】
前記第１弾性部の直径は前記第２弾性部の直径より大きいことを特徴とする請求項７に記載の光ディスクドライブの光ピックアップユニットフィーディング装置。
【請求項９】
光ピックアップユニットに結合されるものであって、リードスクリューに形成された螺旋溝と相互結合される接触部を具備することによって前記リードスクリューの回転に連動されて光ピックアップユニットが直線移動するように動力を伝達するガイド部材と、
前記接触部を前記螺旋溝方向に押さえる弾性部材と、を含み、
前記弾性部材はダンピング性能を有する粘弾性体であることを特徴とする光ディスクドライブの光ピックアップユニットフィーディング装置。
【請求項１０】
回転する光ディスクにアクセスされる光ピックアップユニットと、
前記光ピックアップユニットＥＬ前記光ディスクの半径方向を摺動させる光ピックアップユニットフィーディング装置と、を含み、
前記光ピックアップユニットフィーディング装置は、
前記光ピックアップユニットに結合されるものであって、リードスクリューに形成された螺旋溝と相互結合されることによって前記リードスクリューの回転に連動されて光ピックアップユニットが直線移動するように動力を伝達する接触部を具備するガイド部材と、
前記接触部を前記螺旋溝に弾力的に結合させる第１弾性区間と前記接触部を前記螺旋溝から離脱させない第２弾性区間とを有する弾性部材と、を含み、
前記第２弾性区間のバネ定数は前記第１弾性区間のバネ定数より大きいことを特徴とする光ディスクドライブ。
【請求項１１】
前記弾性部材は、
前記第２弾性区間を形成する本体と、
前記本体から突出されて前記ガイド部材に支持されることによって前記第１弾性区間を形成する少なくとも１つの突起と、を含むことを特徴とする請求項１０に記載の光ディスクドライブ。
【請求項１２】
前記弾性部材はダンピング性能を有する粘弾性体であることを特徴とする請求項１１に記載の光ディスクドライブ。
【請求項１３】
前記弾性部材は、
前記第２弾性区間での変位が前記接触部が前記螺旋溝から離脱される変位に到達した時には弾性力が減少される第３弾性区間をさらに有することを特徴とする請求項１０に記載の光ディスクドライブ。
【請求項１４】
前記弾性部材は、
前記第２弾性区間を形成する本体と、
前記本体から突出されて前記ガイド部材に支持されて前記第１弾性区間を形成する少なくとも１つの突起と、
前記本体を貫通して形成されることによって前記第３弾性区間を形成する少なくとも１つの中空部と、を含むことを特徴とする請求項１３に記載の光ディスクドライブ。
【請求項１５】
前記弾性部材はダンピング性能を有する粘弾性体であることを特徴とする請求項１４に記載の光ディスクドライブ。
【請求項１６】
回転する光ディスクにアクセスされる光ピックアップユニットと、
前記光ピックアップユニットを前記光ディスクの半径方向に摺動させる光ピックアップユニットフィーディング装置と、を含み、
前記光ピックアップユニットフィーディング装置は、
光ピックアップユニットに結合されるものであって、リードスクリューに形成された螺旋溝と相互結合されることによって前記リードスクリューの回転に連動されて光ピックアップユニットが直線移動するように動力を伝達する接触部を具備するガイド部材と、
前記接触部を前記螺旋溝方向に押さえる弾性部材と、を含み、
前記弾性部材はダンピング性能を有する粘弾性体であることを特徴とする光ディスクドライブ。
【発明の詳細な説明】
【技術分野】
【０００１】
本発明は光ディスクドライブに係り、特に光ピックアップユニットをディスクの半径方向にフィーディングさせるための光ディスクドライブの光ピックアップユニットフィーディング装置及びそれを採用した光ディスクドライブに関する。
【背景技術】
【０００２】
一般的に光ディスクドライブは、コンパックディスク（ＣＤ）、デジタルビデオディスク（ＤＶＤ）などディスク状の媒体に情報を記録かまたはこれらに書き込まれた情報を再生する装置であって、この光ディスクドライブにはディスクに情報を書き込むかディスクに収録された情報を再生する光ピックアップユニットを光ディスクの半径方向にフィーディングさせるための光ピックアップユニットフィーディング装置が具備されている。
【０００３】
光ピックアップユニットフィーディング装置の動力源は回転運動をするモーターが使われることが普通であるが、光ピックアップユニットは直線往復運動をすべきなので、モーターの回転運動を直線運動に変えねばならない。回転運動を直線運動に変換する方式には多様な方式が知られている。代表的には、ラックギア及びピニオンを利用する方式とリードスクリューを利用する方式とがある。
【０００４】
図１は、リードスクリューを利用する光ピックアップユニットフィーディング装置を簡略に図示した平面図である。
【０００５】
図１を見れば、リードスクリュー２０はその外周に螺旋溝２１が形成されたものであって、駆動モーター５０に連結されて回転される。光ピックアップユニット１０にはガイド部材３０が結合される。ガイド部材３０には、リードスクリュー２０の螺旋溝２１に結合される接触部３１が具備されている。コイルバネ４０は接触部３１が螺旋溝２１に結合される方向にガイド部材３０に弾性力を付与する。
【０００６】
このような構成によって、リードスクリュー２０が回転されれば、接触部２１が螺旋溝３１に沿って直線移動しながら光ピックアップユニット１０がガイドシャフト６０に沿って摺動される。
【０００７】
図２は、コイルバネ４０のバネ力と変位との関係を図示したものである。
【０００８】
図２を見れば、バネ力は変位に比例して線形的に増加されるので、その傾度であるバネ定数ｋ１は一定である。接触部３１に印加される最初のバネ力Ｆ１は小さいほど良い。なぜなら、バネ力Ｆ１が大きくなれば、リードスクリュー２０を回転させる駆動モーター５０の回転力も大きくなるべきであり、駆動モーター５０で消費される電力もまた増加されるためである。
【０００９】
コイルバネ４０の変位がＸ１である時最初に接触部３１には、Ｆ１のバネ力が加えられる。それから、リードスクリュー２０が回転し始めてから接触部３１は螺旋溝２１の壁面に接触されながら移動し始める。この時、光ピックアップユニット１０の慣性力と光ピックアップユニット１０とガイドシャフト６０との摩擦力とによる反力がバネ力Ｆ１より大きくなれば、接触部３１が光ピックアップユニット１０方向に押される。
【００１０】
光ピックアップユニットフィーディング装置を長時間使用すれば、ガイドシャフト６０と光ピックアップユニット１０間の接触面が磨耗されるか、ガイドシャフト６０に塵などが積もって摩擦力を増加させる。摩擦力の増加につれて接触部３１に加わる反力も増加される。反力が所定の値Ｆ２を超えれば、接触部３１が螺旋溝２１から離脱されて光ピックアップユニット１０がリードスクリュー２０の回転によって予定された距離ほど移動されないミスフィーディングが発生する。
【００１１】
コイルバネ４０によって接触部３１と螺旋溝２１との接触が維持できる反力の最大値Ｆ２はＦ２＝Ｆ１＋ｋ１×ｄになる。ここで、ｄは螺旋溝２１の深さを示す。したがって、最初にバネ力Ｆ１を大きくすれば、ミスフィーディングを防止するのに有利である。しかし、この場合には前述したように駆動モーター５０で消費される電力が増加される問題点がある。
【００１２】
また、駆動モーター５０が回転される時に発生する騷音及び振動はリードスクリュー２０を経て接触部３１まで伝えられる。コイルバネ４０はダンピング性能が弱いためにこの騷音及び振動をほとんどそのまま光ピックアップユニット１０まで伝達する。光ピックアップユニット１０は非常に精密に制御されるものであって、このような振動は光ディスクドライブの記録／再生特性に悪影響を及ぼすことができる。また、騷音は光ディスクドライブの製品の品位を低下させうる。
【発明の開示】
【発明が解決しようとする課題】
【００１３】
本発明は前記した問題点を解決するために創出されたものであって、駆動モーターによって発生された振動及び騷音が光ピックアップに伝えられることを防止する一方、リードスクリューを回転させる駆動モーターの消費電力を減らせるように改善された光ピックアップユニットフィーディング装置及びそれを採用した光ディスクドライブを提供するのにその目的がある。
【課題を解決するための手段】
【００１４】
前述した目的を達成するための本発明の光ディスクドライブの光ピックアップユニットフィーディング装置は、光ピックアップユニットに結合されるものであって、リードスクリューに形成された螺旋溝と相互結合されることによって前記リードスクリューの回転に連動されて光ピックアップユニットが直線移動するように動力を伝達する接触部を具備するガイド部材と、前記接触部を前記螺旋溝に弾性的に結合されるようにする第１弾性区間と前記接触部を前記螺旋溝から離脱させない第２弾性区間とを有する弾性部材と、を含み、前記第２弾性区間のバネ定数は前記第１弾性区間のバネ定数より大きいことを特徴とする。
【００１５】
本発明のさらに他の特徴による光ディスクドライブの光ピックアップユニットフィーディング装置は、光ピックアップユニットに結合されるものであって、リードスクリューに形成された螺旋溝と相互結合される接触部とを具備することによって前記リードスクリューの回転に連動されて光ピックアップユニットが直線移動するように動力を伝達するガイド部材と、前記接触部を前記螺旋溝方向に押す弾性部材と、を含み、前記弾性部材はダンピング性能を有する粘弾性体であることを特徴とする。
【００１６】
本発明による光ディスクドライブは、回転する光ディスクにアクセスされる光ピックアップユニットと、前記光ピックアップユニットを前記光ディスクの半径方向を摺動させる光ピックアップユニットフィーディング装置と、を含み、前記光ピックアップユニットフィーディング装置は、前記光ピックアップユニットに結合されるものであって、リードスクリューに形成された螺旋溝と相互結合されることによって前記リードスクリューの回転に連動されて光ピックアップユニットが直線移動するように動力を伝達する接触部を具備するガイド部材と、前記接触部を前記螺旋溝に弾力的に結合させる第１弾性区間と前記接触部を前記螺旋溝から離脱させない第２弾性区間とを有する弾性部材と、を含み、前記第２弾性区間のバネ定数は前記第１弾性区間のバネ定数より大きいことを特徴とする。
【００１７】
本発明のさらに他の特徴による光ディスクドライブは、回転する光ディスクにアクセスされる光ピックアップユニットと、前記光ピックアップユニットを前記光ディスクの半径方向を摺動させる光ピックアップユニットフィーディング装置と、を含み、前記光ピックアップユニットフィーディング装置は、光ピックアップユニットに結合されるものであって、リードスクリューに形成された螺旋溝と相互結合されることによって前記リードスクリューの回転に連動されて光ピックアップユニットが直線移動するように動力を伝達する接触部を具備するガイド部材と、前記接触部を前記螺旋溝方向に押す弾性部材と、を含み、前記弾性部材はダンピング性能を有する粘弾性体であることを特徴とする。
【発明の効果】
【００１８】
本発明による光ピックアップユニットフィーディング装置及びそれを採用した光ディスクドライブによれば、次のような効果が得られる。
【００１９】
第１に、第１弾性区間によって小さいバネ力を接触部に提供することによって駆動モーターの消費電力が低減させうる。
【００２０】
第２に、第１弾性区間より大きいバネ定数を有する第２弾性区間によって接触部が螺旋溝から離脱されることを効果的に防止できる。
【００２１】
第３に、光ピックアップユニットの制御エラーなどによる誤動作時には接触部に加わるバネ力を減らすか除去することによって駆動モーターの過熱や接触部の破損が防止できる。
【００２２】
第４に、弾性部材として粘弾性体を使用することによって駆動モーターによって発生された振動を減衰または除去できる。したがって、光ピックアップユニットの振動による影響を最小化することによって製品品位の向上を図ることができる。
【発明を実施するための最良の形態】
【００２３】
以下、図面を参照しながら本発明の望ましい実施例を詳細に説明する。
【００２４】
図３は、本発明による光ディスクドライブの一実施例を図示した平面図であり、図４は図３のＩ−Ｉ’断面図である。
【００２５】
図３を見れば、メーンベース１１０にスピンドルモーター１２０と光ピックアップユニット１３０とが設置される。スピンドルモーター１２０はディスクを回転させるものであって、スピンドルモーター１２０の回転軸には光ディスクが載置されるターンテーブル１２１が結合されている。光ピックアップユニット１３０は回転するディスクの半径方向に往復移動されるものであって、ピックアップベース１４０とここに搭載されて光ディスクの記録面に情報を書き込むか、記録面に収録された情報を再生する光ピックアップ１５０とを含む。
【００２６】
光ピックアップユニットフィーディング装置は、ガイドシャフト２１０、リードスクリュー２２０、駆動モーター２５０、ガイド部材２３０、及び弾性部材２４０を含む。ガイドシャフト２１０は、メーンベース１１０に光ディスクの半径方向に設置されるものであって、ピックアップベース１４０を支持して光ピックアップユニット１３０の摺動運動をガイドする。リードスクリュー２２０はガイドシャフト２１０と平行に設置され、その外周には螺旋溝２２１が形成されている。駆動モーター２５０はリードスクリュー２２０を回転させる。
【００２７】
ガイド部材２３０は、ピックアップベース１４０に結合される結合部２３１と、リードスクリュー２２０の螺旋溝２２１に相互結合される少なくとも１つの接触部２３３と、接触部２３３がピックアップベース１４０とリードスクリュー２２０との間で流動できるように結合部２３１と接触部２３３とを連結する連結部２３２とを含む。本実施例ではリードスクリュー２２０との安定的な接触のために２個の接触部２３３が具備されている。接触部２３３は螺旋溝２２１のリード角ほど傾いて形成されるのが望ましく、多数の接触部２３３を具備する場合、各接触部２３３はリードスクリュー２２０の螺旋溝２２１のピッチほど離隔されて形成されるのが望ましい。本実施例では連結部２３２を結合部２３１及び接触部２３３と一体に形成する。連結部２３２は図４に図示されたように結合部２３１から延長されながら薄くすることによって、接触部２３３がＡ方向に流動される時、柔軟に曲がるように形成される。この時、ガイド部材２３０は柔軟なプラスチック材質を使用するのが望ましい。外にも多様な変形例が可能である。
【００２８】
弾性部材２４０は、接触部２３３を螺旋溝２２１に弾性的に結合させる一方、接触部２３３が螺旋溝２２１から離脱されることを防止するものであって、例えば、ゴムなどの粘弾性体が使用できる。弾性部材２４０は本体２４１と、前記本体２４１から突設されて接触部２３３の背面に接触される少なくとも１つの突起２４２とを含む。突起２４２は、接触部２３３の背面に接触され、その反対側の本体２４１はピックアップベース１４０に接触される。本実施例では球状の突起２４２を形成したが、接触部２３３に加わる弾性力の大きさを調節するために多様な形状で多数の個所に形成できる。突起２４２は第１弾性区間を形成するものであって、接触部２３３が螺旋溝２２１に弾性的に結合できるように弾性力を提供する。本体２４１は第２弾性区間を形成するものであって、接触部２３３が螺旋溝２２１から離脱されないようにする。
【００２９】
次に、このような構成による作用効果を説明する。
【００３０】
図５は、図３及び図４に図示された弾性部材２４０のバネ力と変位との関係を図示したグラフである。図５を見れば、変位０からＸ３までは第１弾性区間であって、突起２４２が弾性変形される区間である。変位Ｘ３以上は第２弾性区間であって、本体２４１が弾性変形される区間である。第１弾性区間のバネ定数はＫ２であって、第２弾性区間のバネ定数Ｋ３より小さい。
【００３１】
光ピックアップフィーディング装置の組合せが完了すれば、弾性部材２４０は接触部２３３にバネ力Ｆ３を加える。駆動モーター２５０の消費電力を減らすためには接触部２３３と螺旋溝２２１との接触力を小さくするのが望ましいので、この時には突起２４２が弾性変形され、変位はＸ３とほとんど同じか若干小さいのが望ましい。
【００３２】
この状態で駆動モーター２５０がリードスクリュー２２０を回転させれば、接触部２３３が螺旋溝２２１に沿って直線移動しながら光ピックアップユニット１３０が光ディスクの半径方向に摺動される。
【００３３】
光ピックアップユニットフィーディング装置を長時間使用すれば、ガイドシャフト２１０とピックアップベース１４０間の接触面が磨耗されるか、ガイドシャフト２１０に塵などが積もって摩擦力を増加させる。摩擦力の増加につれて接触部２３３に加わる反力も増加される。反力がバネ力Ｆ３より大きくなれば、接触部２３３がピックアップベース１４０方向に押され始める。接触部２３３が押されることによって変位がＸ３より大きくなれば、本体２４２が変形され始める。すると、弾性部材２４０の第２弾性区間によるバネ力が接触部２３３に加えられる。第２弾性区間のバネ定数は第１弾性区間のバネ定数より大きいので、同じ量の変位が発生された時、第１弾性区間に比べてより大きいバネ力が発生する。図５を見れば、変位がＸ４である時、第２弾性区間がなくて第１弾性区間が変位Ｘ４まで延長される場合のバネ力はＦ５であって、第２弾性区間によるバネ力Ｆ４より小さいことが分かる。したがって、第１弾性区間に比べてバネ定数が大きい第２弾性区間を具備することによって接触部２３３が螺旋溝２２１から離脱されるのをより効果的に防止できる。
【００３４】
図６は、図２及び図５を比較するために共に図示したグラフである。
【００３５】
図６を見れば、変位がＸ３である時、バネ定数ｋ１の従来のコイルバネ（図１の４０）によるバネ力Ｆ１は本実施例による弾性部材２４０によるバネ力Ｆ３より大きい。また、変位Ｘ４で従来のコイルバネ（図１の４０）によるバネ力Ｆ２は本実施例による弾性部材２４０によるバネ力Ｆ４より小さい。
【００３６】
これは、第１弾性区間では本実施例による光ピックアップユニットフィーディング装置が図１に図示された従来の光ピックアップユニットフィーディング装置に比べて駆動モーター２５０に加わる負荷が小さいことを意味し、第２弾性区間では接触部２３３が螺旋溝２２１から離脱されることを防止するためにより大きいバネ力を接触部２３３に加えられることを意味する。
【００３７】
したがって、本実施例のように弾性部材２４０がバネ定数の小さい第１弾性区間とそれよりバネ定数の大きい第２弾性区間とを有するようにすれば、駆動モーター２５０の消費電力を減らせることはもちろん、接触部２３３が螺旋溝２２１から離脱されることを防止するのにもより効果的であることが分かる。
【００３８】
また、本実施例の弾性部材２４０は粘弾性体であって、ダンピング性能を有する。図７を見れば、駆動モーター２５０によって発生した振動及び騷音（ｃ１）は弾性部材２４０によって減衰される（ｃ２）。したがって、光ピックアップユニット１３０に及ぶ振動による影響を最小化することによって安定的な記録／再生が可能であり、騷音を低減させることによって製品品位の向上が図られる。
【００３９】
図４で、突起を形成せずに本体が直接接触部をリードスクリュー方向に押さえることもできる。この場合には１つの弾性区間だけを有するが、弾性部材としてダンピング性能を有する粘弾性体を使用するだけでも前述したような振動及び騷音の低減効果が得られる。
【００４０】
図８は、弾性部材の変形例を図示した斜視図であり、図９は、図８に図示された弾性部材によるバネ力と変位との関係を示すグラフである。
【００４１】
図８を見れば、弾性部材２８０は粘弾性体であって、本体２４１と前記本体２４１から突設されて接触部２３３の背面に接触される少なくとも１つの突起２４２を含み、前記本体２４１を貫通して中空部２４３が形成されている。中空部２４３は第３弾性区間を形成するものであって、弾性部材２８０の変位が接触部２３３が螺旋溝２２１から離脱される変位に至る場合には急激に凹みながら接触部２３３に加えられるバネ力を除去する。光ピックアップユニット１３０が制御エラーなどによってガイドシャフト２１０の両端部に到達したにもかかわらず、駆動モーター２５０が回転し続ける場合に、接触部２３３が螺旋溝２２１にかみ合い続ければ、駆動モーター２５０に過負荷がかかる場合があり、接触部２３３が破損されうる。したがって、この場合には第３弾性区間によって接触部２３３を押さえるバネ力を一時的に減らすか、除去することによって接触部２３３を螺旋溝２２１から一時的に離脱させてから再度かみ合わせることによって駆動モーター２５０の過熱や接触部２３３の破損が防止できる。
【００４２】
以上の実施例では弾性部材として粘弾性体を使用する場合について説明した。しかし、本発明による光ピックアップユニットフィーディング装置はこれに限定されない。
【００４３】
図１０は、弾性部材の他の変形例を図示した断面図である。
【００４４】
図１０を見れば、弾性部材として一端はピックアップベース１４０に支持され、他端は接触部２３３の背面に支持されるコイルバネ３００が図示されている。コイルバネ３００は直径がそれぞれＤ１とＤ２である第１弾性部３１０と第２弾性部３２０とを有する。コイルバネのバネ定数はコイルバネの直径に反比例する。したがって、Ｄ１をＤ２より大きくすれば、第１弾性部３１０のバネ定数は第２弾性部３２０のバネ定数より小さくなる。このような構成によって図５に図示されたようなバネ力と変位との関係が得られる。したがって、初期変位Ｘ３では第１弾性部３１０が変形されながら接触部２３３に小さい力を加えて駆動モーター２５０の負荷を小さくして駆動モーター２５０で消費される電力が減らせる。そして、変位がＸ３を超えれば、第２弾性部３２０が変形されながら大きい力を接触部２３３に加えて接触部２３３が螺旋溝２２１から離脱されることを効果的に防止できる。
【００４５】
本発明は前記に説明され、図面に例示されたものによって限定されるものではなくて、特許請求の範囲内でさらに多くの変形及び変容例が可能であることはもとよりである。
【産業上の利用可能性】
【００４６】
本発明は光ディスクに光を照射して情報を記録／再生する光ディスクドライブに適用される。特に、リードスクリューを利用して光ピックアップユニットを駆動させる光ディスクドライブに適用される。
【図面の簡単な説明】
【００４７】
【図１】リードスクリューを利用する光ピックアップユニットフィーディング装置を簡略に図示した平面図である。
【図２】コイルバネのバネ力と変位との関係を図示したグラフである。
【図３】本発明による光ディスクドライブの一実施例を図示した平面図である。
【図４】図３のＩ−Ｉ’断面図である。
【図５】弾性部材の弾性力と変位との関係を図示したグラフである。
【図６】図２及び図５を共に図示したグラフである。
【図７】弾性部材による振動及び騷音のダンピング効果を示すグラフである。
【図８】弾性部材の一変形例を図示した斜視図である。
【図９】図８に図示された弾性部材によるバネ力と変位との関係を示すグラフである。
【図１０】本発明による光ディスクドライブの他の実施例を図示した断面図である。
【符号の説明】
【００４８】
１１０    メーンベース
１２０    スピンドルモーター
１２１    ターンテーブル
１３０    光ピックアップユニット
１４０    ピックアップベース
１５０    光ピックアップ
２１０    ガイドシャフト
２２０    リードスクリュー
２２１    螺旋溝
２３０    ガイド部材
２３１    結合部
２３３    接触部
２４０    弾性部材
２５０    駆動モーター
【図１】
2004164840.tif 000003
【図２】
2004164840.tif 000004
【図３】
2004164840.tif 000005
【図４】
2004164840.tif 000006
【図５】
2004164840.tif 000007
【図６】
2004164840.tif 000008
【図７】
2004164840.tif 000009
【図８】
2004164840.tif 000010
【図９】
2004164840.tif 000011
【図１０】
2004164840.tif 000012